(57)【要約】【課題】１種類の映像信号入力で、メイン表示パネル及びサブ表示パネルに異なる種類の映像を表示する。【解決手段】少なくとも４色以上の着色領域を有する第１のカラーフィルタに対応した画素を有する第１の表示パネルと、第１のカラーフィルタよりも少ない色数の着色領域を有する第２のカラーフィルタに対応した画素を有する第２の表示パネルと、第１又は第２の表示パネルの画素を夫々駆動する第１及び第２の駆動回路と、第２のカラーフィルタに対応した第１の色画像信号を第１のカラーフィルタに対応した第２の色画像信号に変換して出力する画像処理回路と、第２の表示パネルの表示モード時には、第１の色画像信号を第２の駆動回路に供給し、第１の表示パネルの表示モード時には、第１の色画像信号を画像処理回路に供給して、画像処理回路から出力された第２の色画像信号を第１の駆動回路に供給する切換え手段と、を具備したことを特徴とする。【選択図】図１
2007240912.tif 000002
【特許請求の範囲】
【請求項１】
少なくとも４色以上の着色領域を有する第１のカラーフィルタに対応した画素を有する第１の表示パネルと、
前記第１のカラーフィルタよりも少ない色数の着色領域を有する第２のカラーフィルタに対応した画素を有する第２の表示パネルと、
前記第１の表示パネルの画素を駆動する第１の駆動回路と、
前記第２の表示パネルの画素を駆動する第２の駆動回路と、
前記第２のカラーフィルタに対応した第１の色画像信号が入力されるとともに、当該第１の色画像信号が前記第１のカラーフィルタに対応した第２の色画像信号に変換されて出力される画像処理回路と、
前記第２の表示パネルの表示モード時には、前記第１の色画像信号を前記第２の駆動回路に供給され、前記第１の表示パネルの表示モード時には、前記第１の色画像信号を前記画像処理回路に供給されると共に、前記画像処理回路から出力された前記第２の色画像信号を前記第１の駆動回路に供給される切換え手段と、
を具備したことを特徴とする電気光学装置。
【請求項２】
前記第２の表示パネルの表示モード時には、前記画像処理回路の動作は停止されることを特徴とする請求項１に記載の電気光学装置。
【請求項３】
前記切換え手段は、前記第１及び第２の駆動回路への電源電圧の供給を切換えて制御することを特徴とする請求項１に記載の電気光学装置。
【請求項４】
前記第２の色画像信号を前記第１の駆動回路に供給する第１の信号線と、
前記第１の色画像信号を前記第２の駆動回路に供給する第２の信号線と、
を具備したことを特徴とする請求項１に記載の電気光学装置。
【請求項５】
前記切換え手段は、前記第２の表示パネルの表示モード時に、前記画像処理回路の入出力を遮断する第１のスイッチと前記画像処理回路を経由せずに接続する第２のスイッチとを含むことを特徴とする請求項１に記載の電気光学装置。
【請求項６】
前記第１の色画像信号は、赤系、緑系及び青系の３色画像信号であり、
前記第２の色画像信号は、少なくとも４色以上の多色画像信号であることを特徴とする請求項１に記載の電気光学装置。
【請求項７】
上記請求項１乃至請求項５のいずれか１項に記載の電気光学装置によって表示部を構成したことを特徴とする電子機器。
【発明の詳細な説明】
【技術分野】
【０００１】
本発明は、多色カラーフィルタによって色再現性を向上させるようにした電気光学装置及び電子機器に関する。
【背景技術】
【０００２】
従来より、一般に、液晶表示装置その他の各種の電気光学装置では、カラー表示を可能とするために、カラーフィルタが設けられている。このカラーフィルタは、例えば、画素毎に異なる複数色、例えば、赤、緑、青の着色層のいずれか一つを配置し、これらの複数色の着色層を所定のパターンで配列させて構成されている。このような着色層は、例えば、顔料や染料などの着色材を含む感光性樹脂を用いたフォトリソグラフィ法で形成される。
【０００３】
また、屋内や車内などの比較的暗い環境では、電気光学装置の背後にバックライトを配置し、このバックライトの光によって視認可能となる透過表示を実現し、さらに、屋外などの明るい場所ではバックライトを消灯して外光によって視認可能となる反射表示を実現するタイプの表示装置も知られている。このタイプの装置では、各画素内に、光を透過する光透過領域と、光を反射する光反射領域とを夫々設け、光透過領域を用いて上記透過表示を実現し、光反射領域を用いて上記反射表示を実現している。
【０００４】
このような電気光学装置を携帯電話機の表示装置として用いることがある。そして、携帯電話機を開いた状態で表示を観察可能なメインディスプレイの他に、携帯電話機を折り畳んだ状態で、着信相手や時刻等を確認することができるように、サブディスプレイを搭載する携帯電話機も商品化されている。
【０００５】
このような２枚の表示パネルを用いた電気光学装置としては、特許文献１〜３等に開示されたものがある。  
【特許文献１】特開２００３−１３１２５０号公報
【特許文献２】特開２００５−１５７４９５号公報
【特許文献３】特開２００３−１７７６８４号公報
【発明の開示】
【発明が解決しようとする課題】
【０００６】
ところで、従来、色の３原色に対応したＲ，Ｇ，Ｂの３色カラーフィルタが多用されている。しかしながら、３色カラーフィルタでは色の再現性が必ずしも十分でないことがある。そこで、近年、多色（例えば４色）のカラーフィルタを採用した電気光学装置も開発されている。
【０００７】
しかし、電気光学装置に入力される映像信号としては、Ｒ，Ｇ，Ｂ３原色の映像信号が採用されることが多い。そこで、３色映像信号を例えば４色映像信号に変換する色変換回路が採用される。色変換回路は、３色色空間と４色色空間同士の座標変換を行うことで、３色映像信号を４色映像信号に変換している。
【０００８】
このように、表示パネルに供給する映像信号として、３色映像信号と４色映像信号とが考えられる。特に、サブディスプレイにおいては、一般的に、メインディスプレイよりも解像度が小さいものや、表示品位が比較的低いものが採用されることが多い。そこで、メインディスプレイに４色映像信号を供給し、サブディスプレイに３色映像信号を供給する方法が考えられる。
【０００９】
しかしながら、上述した特許文献１〜３においては、いずれも、メイン及びサブパネルに同一種類の映像信号を供給することが前提であり、異なる種類の映像信号を効果的に各パネルに供給する手法は考えられていない。
【００１０】
本発明は、４色映像信号と３色映像信号とを夫々メイン表示パネル又はサブ表示パネルに供給することができる電気光学装置及び電子機器を提供することを目的とする。
【課題を解決するための手段】
【００１１】
本発明に係る電気光学装置は、少なくとも４色以上の着色領域を有する第１のカラーフィルタに対応した画素を有する第１の表示パネルと、前記第１のカラーフィルタよりも少ない色数の着色領域を有する第２のカラーフィルタに対応した画素を有する第２の表示パネルと、前記第１の表示パネルの画素を駆動する第１の駆動回路と、前記第２の表示パネルの画素を駆動する第２の駆動回路と、前記第２のカラーフィルタに対応した第１の色画像信号が入力されるとともに、当該第１の色画像信号が前記第１のカラーフィルタに対応した第２の色画像信号に変換されて出力される画像処理回路と、前記第２の表示パネルの表示モード時には、前記第１の色画像信号を前記第２の駆動回路に供給され、前記第１の表示パネルの表示モード時には、前記第１の色画像信号を前記画像処理回路に供給されると共に、前記画像処理回路から出力された前記第２の色画像信号を前記第１の駆動回路に供給される切換え手段と、を具備したことを特徴とする。
【００１２】
このような構成によれば、第１の表示パネルは、少なくとも４色以上の着色領域を有する第１のカラーフィルタに対応した画素を有する。また、第２の表示パネルは、第１のカラーフィルタよりも少ない色数の着色領域を有する第２のカラーフィルタに対応した画素を有する。第１の表示パネルの画素は第１の駆動回路によって駆動され、第２の表示パネルの画素は第２の駆動回路によって駆動される。画像処理回路は、第２のカラーフィルタに対応した第１の色画像信号が入力され、第１のカラーフィルタに対応した第２の色画像信号を出力する。切換え手段は、第２の表示パネルの表示モード時には、第１の色画像信号を第２の駆動回路に与える。一方、切換え手段は、第１の表示パネルの表示モード時には、第１の色画像信号を画像処理回路に与えると共に、画像処理回路からの第２の色画像信号を第１の駆動回路に与える。これにより、１種類の第１の色画像信号のみが入力として与えられる場合でも、第２の色画像信号の表示に適した第１の表示パネル及び第１の色画像信号の表示に適した第２の表示パネルに対して、夫々適した色画像信号の供給が可能である。
【００１３】
また、本発明の一態様によれば、前記第２の表示パネルの表示モード時には、前記画像処理回路の動作は停止されることを特徴とする。
【００１４】
このような構成によれば、第２の表示パネルの表示モード時には、画像処理回路の動作が停止するので、低消費電力化を図ることができる。
【００１５】
また、本発明の一態様によれば、前記切換え手段は、前記第１及び第２の駆動回路への電源電圧の供給を切換えて制御することを特徴とする。
【００１６】
このような構成によれば、第１の表示パネルの表示モード時には、第２の表示パネルの駆動を停止させ、第２の表示パネルの表示モード時には、第１の表示パネルの駆動を停止させることができ、低消費電力化を図ることができる。
【００１７】
また、本発明の一態様によれば、前記第２の色画像信号を前記第１の駆動回路に供給する第１の信号線と、前記第１の色画像信号を前記第２の駆動回路に供給する第２の信号線と、を具備したことを特徴とする。
【００１８】
このような構成によれば、夫々別系統の第１，第２の信号線を経由して、第１の色画像信号と第２の色画像信号とを伝送することができる。
【００１９】
また、本発明の一態様によれば、前記切換え手段は、前記第２の表示パネルの表示モード時に、前記画像処理回路の入出力を遮断する第１のスイッチと前記画像処理回路を経由せずに接続する第２のスイッチとを含むことを特徴とする。
【００２０】
このような構成によれば、簡単な構成で、第１の色画像信号を第２の表示パネルに供給することができる。
【００２１】
また、本発明の一態様によれば、前記第１の色画像信号は、赤系、緑系及び青系の３色画像信号であり、前記第２の色画像信号は、少なくとも４色以上の多色画像信号であることを特徴とする。
【００２２】
このような構成によれば、第１の表示パネルにおいて、色再現性に優れた表示が可能である。
【００２３】
本発明に係る電子機器は、上記電気光学装置によって表示部を構成したことを特徴とする。
【００２４】
このような構成によれば、第１の表示パネルと第２の表示パネルに夫々適した画像を表示させることができる。
【発明を実施するための最良の形態】
【００２５】
以下、図面を参照して本発明の実施の形態について詳細に説明する。図１は本発明の一実施の形態に係る電気光学装置を示す回路図である。本実施の形態は電気光学装置として液晶パネルに適用したものである。図２は図１の電気光学装置の概観を示す説明図である。
【００２６】
先ず、図２を参照して電気光学装置の全体構成を説明する。
【００２７】
本実施の形態の電気光学装置は、図示しない筐体に、メイン表示パネル３１及びサブ表示パネル５１が設けられて構成されている。メイン表示パネル３１は、液晶パネルによって構成された表示領域３２を有し、サブ表示パネル５１は、液晶パネルによって構成された表示領域５２を有する。表示領域３２，５２は、図示しない一対のガラス基板相互間に液晶が封入されて構成されている。
【００２８】
表示領域３２，５２は相互に同様の構成である。表示領域３２は、複数本の走査線３３と複数本のデータ線３４とが交差するように配線され、走査線３３とデータ線３４とで区画された領域に画素電極３５がマトリクス状に配置される。そして、走査線３３とデータ線３４の各交差部分に対応してＴＦＴ３６が設けられ、このＴＦＴ３６に画素電極３５が接続される。ＴＦＴ３６は走査線３３のＯＮ信号によってオンとなり、これにより、データ線３４に供給された画像信号が画素電極３５に供給される。この画素電極３５と図示しない対向基板に設けられた対向電極との間の電圧が液晶に印加される。
【００２９】
同様に、表示領域５２は、複数本の走査線５３と複数本のデータ線５４とが交差するように配線され、走査線５３とデータ線５４とで区画された領域に画素電極５５がマトリクス状に配置される。そして、走査線５３とデータ線５４の各交差部分に対応してＴＦＴ５６が設けられ、このＴＦＴ５６に画素電極５５が接続される。ＴＦＴ５６は走査線５３のＯＮ信号によってオンとなり、これにより、データ線５４に供給された画像信号が画素電極５５に供給される。この画素電極５５と図示しない対向基板に設けられた対向電極との間の電圧が液晶に印加される。
【００３０】
表示領域３２の各画素は、データドライバ３８及び走査ドライバ３９によって駆動される。即ち、走査ドライバ３９は各走査線３３に走査信号を供給し、データドライバ３８は、各データ線３４に映像信号を供給する。同様に、表示領域５２の各画素は、サブデータドライバ５８及びサブ走査ドライバ５９によって駆動される。即ち、サブ走査ドライバ５９は各走査線５３に走査信号を供給し、サブデータドライバ５８は、各データ線５４に映像信号を供給する。
【００３１】
本実施の形態においては、表示領域３２，５２には、夫々図示しないカラーフィルタが設けられている。これらのカラーフィルタは、各画素に対応して原色の着色が施された着色領域を有する。本実施の形態においては、表示領域３２に設けられているカラーフィルタは、各画素に対応した着色領域の色数が４色であり、４色の着色領域に夫々対応した４つのサブ画素３７Ｒ，３７Ｇ，３７Ｂ，３７Ｃによって１画素が構成される。一方、表示領域５２に設けられているカラーフィルタは、各画素に対応した着色領域の色数が３色であり、３色の着色領域に夫々対応した３つのサブ画素５７Ｒ，５７Ｇ，５７Ｂによって１画素が構成される。
【００３２】
例えば、サブ表示パネル５１は、Ｒ（赤系）、Ｇ（緑系）、Ｂ（青系）の３色の着色領域を有するカラーフィルタを採用する。これに対し、メイン表示パネル３１は、Ｒ（赤系）、Ｇ（緑系）、Ｂ（青系）、Ｃ（シアン系）の４色の着色領域を有するカラーフィルタを採用する。
【００３３】
次に、４色の着色領域について以下に詳細に述べる。
【００３４】
着色領域は４色の着色領域で１画素を構成する。  
４色の着色領域は、波長に応じて色相が変化する可視光領域（３８０−７８０ｎｍ）のうち、青系の色相の着色領域、赤系の色相の着色領域と、青から黄までの色相の中で選択された２種の色相の着色領域からなる。ここで系と用いているが、例えば青系であれば純粋の青の色相に限定されるものでなく、青紫や青緑等を含むものである。赤系の色相であれば、赤に限定されるものでなく橙を含む。また、これら着色領域は単一の着色層で構成されても良いし、複数の異なる色相の着色層を重ねて構成されても良い。また、これら着色領域は色相で述べているが、当該色相は、彩度、明度を適宜変更し、色を設定し得るものである。
【００３５】
具体的な色相の範囲は、  
青系の色相の着色領域は、青紫から青緑であり、より好ましくは藍から青である。  
赤系の色相の着色領域は、橙から赤である。  
青から黄までの色相で選択される一方の着色領域は、青から緑であり、より好ましくは青緑から緑である。  
青から黄までの色相で選択される他方の着色領域は、緑から橙であり、より好ましくは緑から黄である。もしくは緑から黄緑である。
【００３６】
ここで、各着色領域は、同じ色相を用いることはない。例えば、青から黄までの色相で選択される２つの着色領域で緑系の色相を用いる場合は、他方は一方の緑に対して青系もしくは黄緑系の色相を用いる。
【００３７】
これにより、従来のＲＧＢの着色領域よりも広範囲の色再現性を実現することができる。  
他の具体的な例として、着色領域を透過する波長で表現する。  
青系の着色領域は、該領域を透過した光の波長のピークが４１５−５００ｎｍにある着色領域、好ましくは、４３５−４８５ｎｍにある着色領域である。  
赤系の着色領域は、該領域を透過した光の波長のピークが６００ｎｍ以上にある着色領域で、好ましくは、６０５ｎｍ以上にある着色領域である。  
青から黄までの色相で選択される一方の着色領域は、該領域を透過した光の波長のピークが４８５−５３５ｎｍにある着色領域で、好ましくは、４９５−５２０ｎｍにある着色領域である。  
青から黄までの色相で選択される他方の着色領域は、該領域を透過した光の波長のピークが５００−５９０ｎｍにある着色領域、好ましくは５１０−５８５ｎｍにある着色領域、もしくは５３０−５６５ｎｍにある着色領域である。
【００３８】
この波長は、透過表示の場合は、照明装置からの照明光がカラーフィルタを通して得られた数値である。反射表示の場合は、外光を反射して得られた数値である。
【００３９】
他の具体的な例として、ｘ、ｙ色度図で表現する。
【００４０】
青系の着色領域は、ｘ≦０．１５１、ｙ≦０．２００にある着色領域であり、好ましくは、０．１３４≦ｘ≦０．１５１、０．０３４≦ｙ≦０．２００にある着色領域である。  
赤系の着色領域は、０．５２０≦ｘ、ｙ≦０．３６０にある着色領域であり、好ましくは、０．５５０≦ｘ≦０．６９０、０．２１０≦ｙ≦０．３６０にある着色領域である。  
青から黄までの色相で選択される一方の着色領域は、ｘ≦０．２００、０．２１０≦ｙにある着色領域であり、好ましくは、０．０８０≦ｘ≦０．２００、０．２１０≦ｙ≦０．７５９にある着色領域である。  
青から黄までの色相で選択される他方の着色領域は、０．２５７≦ｘ、０．４５０≦ｙにある着色領域であり、好ましくは、０．２５７≦ｘ≦０．５２０、０．４５０≦ｙ≦０．７２０にある着色領域である。  
このｘ、ｙ色度図は、透過表示の場合は、照明装置からの照明光がカラーフィルタを通して得られた数値である。反射表示の場合は、外光を反射して得られた数値である。  
これら４色の着色領域は、サブ画素に透過領域と反射領域を備えた場合、透過領域及び反射領域も上述した範囲で適用することができるものである。
【００４１】
バックライトとして、ＲＧＢの光源としてＬＥＤ、蛍光管、有機ＥＬを用いても良い。または白色光源を用いても良い。なお、白色光源は青の発光体とＹＡＧ蛍光体により生成される白色光源でもよい。
【００４２】
ＲＧＢ光源としては、以下のものが好ましい。  
Ｂは発光した光の波長のピークが４３５ｎｍ−４８５ｎｍにあるもの  
Ｇは発光した光の波長のピークが５２０ｎｍ−５４５ｎｍにあるもの  
Ｒは発光した光の波長のピークが６１０ｎｍ−６５０ｎｍにあるもの  
そして、ＲＧＢ光源の波長によって、上記カラーフィルタを適切に選定すればより広範囲の色再現性を得ることができる。  
また、波長が例えば、４５０ｎｍと５６５ｎｍにピークがくるような、複数のピークを持つ光源を用いていも良い。
【００４３】
上記４色の着色領域の構成の例として、以下のものがあげられる。  
色相が、赤、青、緑、シアン（青緑）の着色領域  
色相が、赤、青、緑、黄の着色領域  
色相が、赤、青、深緑、黄の着色領域  
色相が、赤、青、エメラルド、黄の着色領域  
色相が、赤、青、深緑、黄緑の着色領域  
色相が、赤、青緑、深緑、黄緑の着色領域
本実施の形態のメイン表示パネル３１の色再現範囲はサブ表示パネルの色再現範囲よりも広い。
【００４４】
本実施の形態においては、メイン表示パネル３１への４色映像信号の供給は信号線７２を介して行われ、サブ表示パネル５１への３色映像信号の供給は信号線７３を介して行われる。後述するように、信号線７２には４色映像信号が供給され、信号線７３には３色映像信号が供給されるようになっている。
【００４５】
信号線７２は、メイン表示パネル３１内の信号線７４に接続され、信号線７４を介してデータドライバ３８に接続される。また、信号線７３は、メイン表示パネル３１内及びサブ表示パネル５１内の信号線７５に接続され、信号線７５を介してサブデータドライバ５８に接続される。信号線７２，７４を介して伝送された４色映像信号はデータドライバ３８に供給される。また、信号線７３，７５を介して伝送された３色映像信号は、サブデータドライバ５８に供給される。
【００４６】
なお、信号線７５は、メイン表示パネル３１内の表示領域３２の外側に配線されて、表示領域３２の一辺に沿ってサブ表示パネル５１に導かれるようになっている。
【００４７】
また、メイン表示パネル３１の走査ドライバ３９への電源供給は、配線７６及びメイン表示パネル３１内の配線７８を介して行われる。サブ表示パネル５１のサブ走査ドライバ５９への電源供給は、配線７７及びメイン表示パネル３１内を通過する配線７９を介して行われる。
【００４８】
なお、配線７９は、メイン表示パネル３１内の表示領域３２の外側に配線されて、表示領域３２の一辺に沿ってサブ表示パネル５１に導かれるようになっている。
【００４９】
図１は信号線７２，７３に夫々４色映像信号又は３色映像信号を供給すると共に、配線７６，７７に電源電圧を供給する駆動回路を示すブロック図である。
【００５０】
駆動回路１は、上述した表示パネル３１，５１を駆動する回路の一部であり、外部装置であるLCDコントローラ１１からの映像信号と各種コマンド信号を受信する。駆動回路１は、インターフェースコントロール回路（以下、I/Fコントロール回路という）１２と、コマンド制御回路１３と、画像処理回路１４と、ラッチ回路１６と、ガンマ（γ）補正回路（以下、ガンマ回路という）１７と、スイッチ切換え制御回路１９と、信号選択回路２０とを含んで構成される。
【００５１】
I/Fコントロール回路１２には、LCDコントローラ１１からの映像信号等が入力される。なお、LCDコントローラ１１からは、Ｒ，Ｇ，Ｂの３色映像信号が供給されるものとする。I/Fコントロール回路１２は、入力された映像信号等を所定の単位、例えば８ビット毎にコマンド制御回路１３へ出力する。
【００５２】
コマンド制御回路１３は、入力された信号が、コマンド信号であるか映像信号であるかに応じて、画像処理回路１４への映像信号とスイッチ切換え制御回路１９への制御信号を出力する。映像信号は、所定の単位で所定のタイミングで画像処理回路１４へ出力される。例えば、コマンド制御回路１３は、２４ビットの単位で映像信号を、１クロック（CLK）毎に画像処理回路１４へ出力される。
【００５３】
また、コマンド制御回路１３には、信号MODEも入力されるようになっており、この信号MODEによって、表示モードが指示されるようになっている。表示モードとしては、メイン表示パネル３１を用いた表示モード（以下、メイン表示モードという）とサブ表示パネル５１を用いた表示モード（以下、サブ表示モードという）とがある。コマンド制御回路１３は、これらの表示モードの指定に応じて、画像処理回路１４へクロック信号（CLK）を供給、あるいは画像処理回路１４へのクロック信号（CLK）の供給を停止すると共に、スイッチ切換え制御回路１９を制御する。具体的には、コマンド制御回路１３は、表示モードがメイン表示モードのときには、クロック信号（CLK）を画像処理回路１４へ供給し、サブ表示モードのときには、画像処理回路１４へのクロック信号（CLK）の供給を停止する。
【００５４】
なお、例えば、本実施の形態を携帯電話機に採用した場合には、表示モードの切換えを、携帯電話機の扉の開閉操作に応答して発生させるようにすることができる。例えば、扉を開いた場合には、メイン表示モードが設定され、扉を閉じた場合には、サブ表示モードが設定されるようにする。
【００５５】
画像処理回路１４は、３色、すなわちRGB（赤系、緑系、青系）の３つの画像信号を、先に述べた４色の画像信号に変換する色変換回路を含む。サブ表示モード時には、クロック信号CLKは、画像処理回路１４へ入力されないので、画像処理回路１４は駆動動作を停止する。
【００５６】
画像処理回路１４は、RAM等のラッチ回路１６へ所定の単位で選択した映像信号を出力する。
【００５７】
ガンマ回路１７は、ガンマ補正のための回路であり、映像信号にガンマ補正を施して、ガンマ補正された映像信号を信号選択回路２０に供給する。信号選択回路２０は、スイッチＳＷ３，ＳＷ４，ＳＷ６，ＳＷ７を有しており、ガンマ回路１７からの映像信号はスイッチＳＷ３，ＳＷ６に供給される。また、信号選択回路２０のスイッチＳＷ４，ＳＷ７には、LCDコントローラ１１からの電源電圧が信号線を介して供給されている。
【００５８】
本実施の形態においては、コマンド制御回路１３からの映像信号はスイッチＳＷ１を介して画像処理回路１４に供給されるようになっている。画像処理回路１４からの映像信号は、スイッチＳＷ２を介してラッチ回路１６に供給されるようになっている。また、スイッチＳＷ１からの映像信号が画像処理回路１４を介することなくラッチ回路１６に供給するための迂回路が設けられており、この迂回路途中にもスイッチＳＷ５が設けられている。
【００５９】
これらのスイッチＳＷ１，ＳＷ２，ＳＷ５及び上述した信号選択回路２０内の各スイッチＳＷ３，ＳＷ４，ＳＷ６，ＳＷ７は、切換え手段を構成する。各スイッチＳＷ１〜ＳＷ７は、スイッチ切換え制御回路１９によって切換制御されるようになっている。
【００６０】
スイッチ切換え制御回路１９は、コマンド制御回路１３からの選択制御信号（SELL）に基づいて、スイッチＳＷ１〜ＳＷ７を切り換える。即ち、スイッチ切換え制御回路１９は、メイン表示モードが設定された場合には、選択制御信号（SELL）に基づいて、スイッチＳＷ１〜ＳＷ４に切換信号Ｍ＿ＳＥＬを与えてオンにし、スイッチＳＷ５〜ＳＷ７に切換信号Ｓ＿ＳＥＬを与えてオフさせる。また、スイッチ切換え制御回路１９は、サブ表示モードが設定された場合には、選択制御信号（SELL）に基づいて、スイッチＳＷ１〜ＳＷ４に切換信号Ｍ＿ＳＥＬを与えてオフにし、スイッチＳＷ５〜ＳＷ７に切換信号Ｓ＿ＳＥＬを与えてオンさせる。
【００６１】
信号選択回路２０内の各スイッチＳＷ３，ＳＷ４，ＳＷ６，ＳＷ７は、夫々図１の信号線７２，７３，７６，７７に接続されるようになっている。
【００６２】
次に、このように構成された実施の形態の動作について図１〜図３を参照して説明する。図３は画像処理回路１４の入出力を示す説明図である。
【００６３】
LCDコントローラ１１は、３原色Ｒ，Ｇ，Ｂ映像信号（３色映像信号）をI/Fコントロール回路１２を介してコマンド制御回路１３に供給する。コマンド制御回路１３には信号MODEも入力されており、コマンド制御回路１３は、信号MODEで指定された表示モードに応じて動作する。
【００６４】
いま、例えば携帯電話機の扉が開かれてメイン表示モードが指定されるものとする。この場合には、コマンド制御回路１３は、画像処理回路１４へクロック信号（CLK）を供給し、かつ、メイン表示モードを指示するための選択制御信号（SELL）をスイッチ切換え制御回路１９に出力する。
【００６５】
スイッチ切換え制御回路１９は、メイン表示モードが指示されると、スイッチＳＷ１〜ＳＷ４に切換信号Ｍ＿ＳＥＬを与えてオンにし、スイッチＳＷ５〜ＳＷ７に切換信号Ｓ＿ＳＥＬを与えてオフさせる。
【００６６】
そうすると、コマンド制御回路１３からの３色映像信号は、スイッチＳＷ１を介して画像処理回路１４に与えられる。なお、スイッチＳＷ５はオフなので、コマンド制御回路１３からの３色映像信号は、直接ラッチ回路１６に供給されることはない。
【００６７】
画像処理回路１４は、クロック信号(CLK)が供給されて動作する。図３に示すように、画像処理回路１４は入力された３色映像信号を、Ｒ（赤），Ｇ（緑），Ｂ（青），Ｃ（シアン）の４色映像信号に変換して出力する。
【００６８】
画像処理回路１４からの４色映像信号はラッチ回路１６を介してガンマ回路１７に供給されて、ガンマ補正される。ガンマ補正された４色映像信号は信号選択回路２０のスイッチＳＷ３，ＳＷ６に供給される。この場合には、スイッチＳＷ３はオンで、スイッチＳＷ６はオフであり、４色映像信号はスイッチＳＷ３から信号線７２に出力される。
【００６９】
信号線７２に伝送された４色映像信号は、メイン表示パネル３１のデータドライバ３８に供給される。一方、LCDコントローラ１１からは電源電圧が信号選択回路２０のスイッチＳＷ４，ＳＷ７に供給されている。この場合には、スイッチＳＷ４はオンで、スイッチＳＷ７はオフであり、電源電圧はスイッチＳＷ４から配線７６に供給される。こうして、配線７６に接続されたメイン表示パネル３１の走査ドライバ３９に電源電圧が供給される。
【００７０】
メイン表示パネル３１は、走査ドライバ３９に電源電圧が供給されて走査が開始される。一方、データドライバ３８には４色映像信号が供給されて、各画素は４色映像信号に基づいて駆動される。こうして、表示領域３２において、４色映像信号に基づく、カラー表示が行われる。
【００７１】
なお、信号選択回路２０のスイッチＳＷ６がオフであり、信号線７３には映像信号が供給されておらず、また、信号選択回路２０のスイッチＳＷ７がオフであり、配線７７には電源電圧が供給されていないことから、サブ表示パネル５１は動作停止状態である。
【００７２】
次に、例えば携帯電話機の扉が閉じられてサブ表示モードが指定されるものとする。この場合には、コマンド制御回路１３は、画像処理回路１４へのクロック信号（CLK）の供給を停止する。また、コマンド制御回路１３は、サブ表示モードを指示するための選択制御信号（SELL）をスイッチ切換え制御回路１９に出力する。
【００７３】
スイッチ切換え制御回路１９は、サブ表示モードが指示されると、スイッチＳＷ１〜ＳＷ４に切換信号Ｍ＿ＳＥＬを与えてオフにし、スイッチＳＷ５〜ＳＷ７に切換信号Ｓ＿ＳＥＬを与えてオンさせる。
【００７４】
そうすると、コマンド制御回路１３からの３色映像信号は、スイッチＳＷ５を介して直接ラッチ回路１６に供給される。なお、スイッチＳＷ１，ＳＷ２はオフで、画像処理回路１４にはクロック信号(CLK)も供給されておらず、画像処理回路１４の動作は停止している。
【００７５】
ラッチ回路１６からの３色映像信号はガンマ回路１７に供給されて、ガンマ補正される。ガンマ補正された３色映像信号は信号選択回路２０のスイッチＳＷ３，ＳＷ６に供給される。この場合には、スイッチＳＷ３はオフで、スイッチＳＷ６はオンであり、３色映像信号はスイッチＳＷ６から信号線７３に出力される。
【００７６】
信号線７３に伝送された３色映像信号は、メイン表示パネル３１内の信号線７５を介してサブ表示パネル５１に伝送され、サブ表示パネル５１のサブデータドライバ５８に供給される。一方、LCDコントローラ１１からは電源電圧は、信号選択回路２０のスイッチＳＷ４，ＳＷ７に供給されている。この場合には、スイッチＳＷ４はオフで、スイッチＳＷ７はオンであり、電源電圧はスイッチＳＷ７から配線７７に供給される。配線７７はメイン表示パネル３１内の配線７９を介してサブ表示パネル５１に伝送され、サブ表示パネル５１のサブ走査ドライバ５９に供給される。
【００７７】
こうして、サブ表示パネル５１の走査ドライバ５９に電源電圧が供給されると、表示領域５２の走査が開始される。また、サブデータドライバ５８には３色映像信号が供給されて、各画素は３色映像信号に基づいて駆動される。こうして、表示領域５２において、３色映像信号に基づく、カラー表示が行われる。
【００７８】
なお、この場合には、信号選択回路２０のスイッチＳＷ３がオフであり、信号線７２には映像信号が供給されておらず、また、信号選択回路２０のスイッチＳＷ４がオフであり、配線７６には電源電圧が供給されていないことから、メイン表示パネル３１は動作停止状態である。
【００７９】
このように本実施の形態においては、１種類の３色映像信号の入力のみがある場合でも、４色カラーフィルタを備えたメイン表示パネルと３色カラーフィルタを備えたサブ表示パネルとに夫々適した映像信号を、簡単な構成で供給することができる。また、一方の表示パネル駆動時には他方の表示パネルの動作を停止させており、低消費電力化を図ることができる。また、一方の表示パネルに３色映像信号に基づく画像を表示させる場合には、３色映像信号から４色映像信号に変換する画像処理回路の動作も停止させるようになっており、一層低消費電力化を図ることができる。
【００８０】
なお、上記実施の形態においては、駆動回路内に各スイッチＳＷ１〜ＳＷ７を設けた例を説明したが、これらのスイッチの全部又は一部をメイン表示パネル又はサブ表示パネル内に設けるようにしてもよい。更に、これらのスイッチの一部をデータドライバ内に内蔵させることも可能である。
【００８１】
また、上述の電気光学装置を用いた電子機器も本発明に含まれる。図４は上記実施の形態の電気光学装置を用いた携帯電話１２００の構成を示す斜視図である。
【００８２】
この図に示されるように、携帯電話１２００は、複数の操作ボタン１２０２のほか、受話口１２０４、送話口１２０６とともに、上述した液晶パネル１５０を備えるものである。電気光学装置のうち、液晶パネル１５０以外の構成要素については電話器に内蔵されるので、外観としては現れない。
【００８３】
他にも、電子機器としては、例えば、光源と該光源から出射された光を変調するライトバルブと、該ライトバルブにより変調された光を投射するための光学系を備えた、投射型表示装置である。さらに、電子機器としては、他にも、テレビジョンや、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラ、タッチパネルを備えた機器等などが挙げられる。そして、これらの各種の電子機器に対して、本発明に係る電気光学装置が適用可能なのは言うまでもない。
【００８４】
また、本発明の電気光学装置は、アクティブマトリクス型の液晶パネル（例えば、ＴＦＴ（薄膜トランジスタ）やＴＦＤ（薄膜ダイオード）をスイッチング素子として備えた液晶表示パネル）だけでなく、パッシブマトリクス型の液晶表示パネルにも同様に適用することができる。また、液晶表示パネルだけでなく、エレクトロルミネッセンス装置、有機エレクトロルミネッセンス装置、プラズマディスプレイ装置、電気泳動ディスプレイ装置、電子放出を用いた装置（Field Emission Display 及び Surface-Conduction Electron-Emitter Display 等）、ＤＬＰ（Digital Light Processing）（別名ＤＭＤ：Digital Micromirror Device）等の各種の電気光学装置においても本発明を同様に適用することが可能である。
【００８５】
また、本発明は、半導体基板に素子を形成する表示用デバイス、例えばＬＣＯＳ（Liquid Crystal On Silicon）等にも適用可能である。
【００８６】
ＬＣＯＳでは素子基板として単結晶シリコン基板を用い、画素や周辺回路に用いるスイッチング素子としてトランジスタを単結晶シリコン基板に形成する。また、画素には反射型の画素電極を用い、画素電極の下層に画素の各素子を形成する。
【図面の簡単な説明】
【００８７】
【図１】本発明の一実施の形態に係る電気光学装置を示す回路図。
【図２】図１の電気光学装置の概観を示す説明図。
【図３】実施の形態の動作を説明するための説明図。
【図４】実施の形態の電気光学装置を用いた携帯電話の構成を示す斜視図。
【符号の説明】
【００８８】
１１…ＬＣＤコントローラ、１３…コマンド制御回路、１４…画像処理回路、１６…ラッチ回路、１９…スイッチ切換え制御回路、２０…信号選択回路、ＳＷ１〜ＳＷ７…スイッチ。  
【図１】
2007240912.tif 000003
【図２】
2007240912.tif 000004
【図３】
2007240912.tif 000005
【図４】
2007240912.tif 000006